(57)【特許請求の範囲】
【請求項１】
表示面上の所定の表示領域に所望する周波数帯域の受信状況表示画像を表示する二次元表示装置と、
ユーザによって所定の操作がなされる操作部と、
前記所定の表示領域の中央に現在の受信周波数の信号強度が位置するように受信状況表示画像を表示するセンターモードが選択されている状態において、ユーザにより前記所定の操作がなされたときに、前記所定の表示領域の中央よりも右側又は左側に現在の受信周波数の信号強度が位置するように受信状況表示画像を表示するように変更する表示画像切り替え部と、
を備えたことを特徴とする受信状況表示機能を備えた無線通信装置。
【請求項２】
前記所定の操作が行われる前の受信状況表示画像の横軸の表示スパンを維持したまま、受信状況表示画像を左側又は右側にシフトさせることを特徴とする請求項１に記載の無線通信装置。
【請求項３】
前記所定の操作が行われる前の受信状況表示画像の横軸の表示スパンを拡大して、現在の受信周波数の信号強度を前記所定の表示領域の左端近傍又は右端近傍に表示することを特徴とする請求項１に記載の無線通信装置。
【請求項４】
現在の受信周波数の信号強度が前記所定の表示領域の左端近傍又は右端近傍に表示された状態で、前記所定の操作とは異なる第２所定の操作がなされたときに、受信状況表示画像の横軸の表示スパンを縮小して、受信状況表示画像として表示される周波数帯域を拡大することを特徴とする請求項２又は請求項３に記載の無線通信装置。
【請求項５】
前記操作部は、前記二次元表示装置の表示面上に重なるように設けられた透明な接触入力装置であり、
前記所定の操作は、前記接触入力装置に対するユーザの接触操作であり、
該接触操作が行われた領域端周波数と現在の受信周波数との差分だけ、現在の受信周波数の信号強度が前記所定の領域の中央よりも右側又は左側に表示されるように受信状況表示画像を変更する
ことを特徴とする請求項１乃至請求項４のいずれか一項に記載の無線通信装置。
【請求項６】
無線通信装置における受信状況表示方法であって、
二次元表示装置の表示面上の所定の表示領域に所望する周波数帯域の受信状況表示画像が表示され、且つ、前記所定の表示領域の中央に現在の受信周波数の信号強度が位置するように受信状況表示画像を表示するセンターモードが選択されている状態において、ユーザにより前記所定の操作がなされたときに、前記所定の表示領域の中央よりも右側又は左側に現在の受信周波数の信号強度が位置するように受信状況表示画像を表示するように変更することを特徴とする受信状況表示方法。
【発明の詳細な説明】
【技術分野】
【０００１】
本発明は、センターモードでの受信状況表示機能を備えた無線通信装置、特にその受信状況表示画像の表示変更に関する。
【背景技術】
【０００２】
液晶表示装置などの二次元表示装置を備えた無線通信装置では、所定の周波数帯域で、周波数毎の瞬間の振幅の強度（信号レベル）を表示するスペクトラムスコープ（スペクトラムスコープの横軸が周波数で縦軸が振幅の強さを表す）などの受信状況表示機能を備えている。受信状況表示機能は、さらに現在受信している周波数を、常に表示面の横方向の中央に表示するセンターモード表示機能を含む。センターモードが選択されている状態で、受信周波数が変更されると、変更された新たな受信周波数が表示面の横方向の中央に移動し、表示面に表示されるスペクトラムスコープの周波数帯域がシフトする。
【０００３】
一方、無線通信装置では、ＤＸ（遠距離）局との交信に際して、受信周波数（ＤＸ局の送信周波数）とは異なる送信周波数（ＤＸ局の受信周波数）で送受信を行う、スプリット運用が広く行われている。一般的に、スプリット運用モードでは、送信周波数は、受信周波数に対して±５ｋＨｚ又はその整数倍が指定される。ユーザは、ＤＸ局に対して送信しようとする際に、送信周波数で第三者が送信を行っているか否かを確認するために、送信周波数付近の周波数帯域をモニタしたい場合が生じる。スペクトラムスコープがセンターモードに設定され、さらに、スプリット運用モードが設定されている場合、例えば送信周波数が受信周波数に対して＋５ｋＨｚに指定されているとすると、受信周波数及び送信周波数の信号レベルは、表示面の中央と右側半分の領域に表示され、表示面の左半分は、事実上デッドスペースとなっている。また、送信周波数が表示面の右半分の領域に収まらない場合は、ペクトラムスコープの横軸の表示スパンを縮小しなければならず、視認性が低下する。
【０００４】
また、スプリット運用モードにおいて、受信周波数と送信周波数の信号強度を同時に表示するために、スペクトラムスコープの表示モードを、現在の受信周波数に関係なく任意の周波帯域をモニタするＦＩＸモードに切り替えることも可能であるが、何度も周波数帯域を切り替えながら信号強度を確認しなければならず、操作が煩雑である。
【０００５】
液晶表示装置を用いた無線通信装置の表示方法として、例えば特許文献１では、それぞれ矩形の液晶画素であって４行７列のマトリックス形状に配列されたマトリックス表示部を用いて、受信可能な複数の周波数とその周波数の信号強度を表示することができる。また、受信周波数の変更に対応して上記複数周波数の信号強度の表示位置をシフトさせて変更することができる。スキャンサーチモードによって、送受信周波数を、所定ステップ周波数毎に自動的に周波数の上方向又は下方向に変更する場合、現在の送受信周波数の信号レベルの表示は、マトリックス液晶表示部の右端に位置するようにシフトされた後に、送受信周波数が順次上方向に走査されるためにそれに対応する信号レベルの表示位置が左方向に順次シフトされる。一方、下方向に変更する場合、現在の送受信周波数の信号レベルの表示は、マトリックス液晶表示部の左端に位置するようにシフトされた後に、送受信周波数が順次下方向に走査されるためにそれに対応する信号レベルの表示位置が右方向に順次シフトされる。なお、特許文献１には、スペクトラムスコープのセンターモードにおけるスプリット運用モードについては言及がなされていない。
【先行技術文献】
【特許文献】
【０００６】
【特許文献１】特許第２５７５５８７号
【発明の概要】
【発明が解決しようとする課題】
【０００７】
本発明は、上記従来例の問題を解決するためになされたものであり、受信状況表示機能を備えた無線通信装置において、受信状況表示画像がセンターモードに設定されている場合に、受信周波数から離れた周波数帯域について、簡単な操作で受信状況表示としてモニタ可能とすると共に、二次元表示装置の表示面を無駄なく有効に活用しうる受信状況表示画像の表示機能を備えた無線通信装置及び無線通信装置における受信状況表示方法を提供することを目的とする。
【課題を解決するための手段】
【０００８】
上記目的を達成するために、本発明の一態様に係る受信状況表示機能を備えた無線通信装置は、
表示面上の所定の表示領域に所望する周波数帯域の受信状況表示画像を表示する二次元表示装置と、
ユーザによって所定の操作がなされる操作部と、
前記所定の表示領域の中央に現在の受信周波数の信号強度が位置するように受信状況表示画像を表示するセンターモードが選択されている状態において、ユーザにより前記所定の操作がなされたときに、前記所定の表示領域の中央よりも右側又は左側に現在の受信周波数の信号強度が位置するように受信状況表示画像を表示するように変更する表示画像切り替え部と、
を備えたことを特徴とする。
【０００９】
前記所定の操作が行われる前の受信状況表示画像の横軸の表示スパンを維持したまま、受信状況表示画像を左側又は右側にシフトさせるようにしてもよい。
【００１０】
前記所定の操作が行われる前の受信状況表示画像の横軸の表示スパンを拡大して、現在の受信周波数の信号強度を前記所定の表示領域の左端近傍又は右端近傍に表示してもよい。
【００１１】
また、現在の受信周波数の信号強度が前記所定の表示領域の左端近傍又は右端近傍に表示された状態で、前記所定の操作とは異なる第２所定の操作がなされたときに、受信状況表示画像の横軸の表示スパンを縮小して、受信状況表示画像として表示される周波数帯域を拡大するようにしてもよい。
【００１２】
前記操作部は、前記二次元表示装置の表示面上に重なるように設けられた透明な接触入力装置であり、
前記所定の操作は、前記接触入力装置に対するユーザの接触操作であり、
該接触操作が行われた領域端周波数と現在の受信周波数との差分だけ、現在の受信周波数の信号強度が前記所定の領域の中央よりも右側又は左側に表示されるように受信状況表示画像を変更する
ようにしてもよい。
【００１３】
また、本発明の他の一態様に係る無線通信装置における受信状況表示方法は、
無線通信装置における受信状況表示方法であって、
二次元表示装置の表示面上の所定の表示領域に所望する周波数帯域の受信状況表示画像が表示され、且つ、前記所定の表示領域の中央に現在の受信周波数の信号強度が位置するように受信状況表示画像を表示するセンターモードが選択されている状態において、ユーザにより前記所定の操作がなされたときに、前記所定の表示領域の中央よりも右側又は左側に現在の受信周波数の信号強度が位置するように受信状況表示画像を表示するように変更することを特徴とする。
【発明の効果】
【００１４】
このような構成によれば、ユーザが所定の操作を行うことにより、いわゆるセンターモードにおいて、二次元表示装置の画面上の所定の表示領域の中央に表示されていた現在の受信周波数の信号強度を、所定の表示領域の中央よりも右側又は左側に表示されるように、受信状況表示画像が変更されるので、受信周波数から離れた周波数帯域について、簡単な操作で受信状況表示画像としてモニタすることができ、二次元表示装置の表示面を無駄なく有効に活用することができる。
【図面の簡単な説明】
【００１５】
【図１】本発明の第１実施形態に係る受信状況表示機能を備えた無線通信装置の構成を示すブロック図。
【図２】運用モードがスプリット運用モードに設定され、且つ、センターモードが選択されている場合のタッチパネル液晶表示装置の表示面の一例を示す図。
【図３】第１実施形態において、タッチパネル液晶表示装置の表示面に表示されているスペクトラムスコープ画像の部分のみを抜き出した状態を示す図。
【図４】第１実施形態に係るスペクトラムスコープ画像であって、スペクトラムスコープ画像の横軸のスパンを維持したままシフトさせた状態を示す図。
【図５】第１実施形態に係るスペクトラムスコープ画像であって、スペクトラムスコープ画像の横軸のスパンを維持したままさらにシフトさせた状態を示す図。
【図６】第１実施形態に係るスペクトラムスコープ画像であって、スペクトラムスコープ画像の横軸のスパンを縮小した状態を示す図。
【図７】本発明の第２実施形態に係る受信状況表示機能を備えた無線通信装置の構成を示すブロック図。
【図８】第２実施形態において、タッチパネル液晶表示装置の表示面に表示されているスペクトラムスコープ画像の部分のみを抜き出し、ユーザによる操作面への接触操作がなされた状態を示す図。
【図９】本発明の第３施形態におけるスペクトラムスコープ画像であって、スペクトラムスコープ画像の横軸のスパンを拡大した状態を示す図。
【図１０】スペクトラムスコープ画像のシフト量を選択するための階層的なメニュー画面を示す図。
【発明を実施するための形態】
【００１６】
（第１実施形態）
本発明の第１実施形態に係る受信状況表示機能を備えた無線通信装置及び無線通信装置における受信状況表示方法について説明する。図１は、第１本実施形態に係る無線通信装置１のブロック構成を示す。この無線通信装置１は、送信と受信を同じ運用周波数で行う通常運用モードと、送信と受信を異なる運用周波数で行うスプリット運用モードの切り替えが可能である。そのため、図１に示すように、受信部１１Ａ及び送信部１１Ｂに対応して２つのＶＦＯ(Variable Frequency Oscillator)１２Ａ及び１２Ｂを備えている。
【００１７】
アマチュア無線の分野で使用される無線通信装置は、運用周波数を所定の周波数帯域で自由に設定することができる。そのため、所定の周波数帯域における受信状況を表すために、所定の周波数帯域における受信信号強度を示す、いわゆるスペクトラムスコープ表示や、受信信号強度を時系列に沿って表す、いわゆるウォーターフォール表示を行うことができる。スペクトラムスコープ表示などの受信状況表示画像は一定の面積を必要とするため、この無線通信装置１は、液晶表示装置などの二次元表示装置２を備えている。また、図２に示すように、二次元表示装置２の周囲、例えば左辺及び下辺に沿って配置された、複数の物理的な操作ボタン２８や受信状況表示画像をシフトさせるためのシフトボタン２９Ａ，２９Ｂなどで構成された操作部３０を備えている。
【００１８】
操作部３０には、操作検出部３１が接続されており、ユーザによるボタン操作を検出する。操作検出部３１には、さらに操作判定部３２が接続されており、ユーザーによってどのボタンが操作されたのか、すなわちボタン操作の位置や、その操作回数などを判定する。すなわち、操作部３０と、操作検出部３１と、操作判定部３２によって、入力装置が構成される。操作判定部３２は、運用モード切り替え部３３に接続されており、運用モード切り替え部３３は、操作判定部３２により判定された検出されたボタン操作の位置や操作回数などに基づいて、通常運用モードからスプリット運用モードへ又はその逆へ、運用モードの切り替えを行う。
【００１９】
運用モード切り替え部３３は、さらに表示画像切り替え部３４及び運用周波数指示部３５に接続されている。表示画像切り替え部３４は、運用モード切り替え部３３による運用モードの切り替えに従って、二次元表示装置２の表示面２２Ａに表示される画像を切り替える。図２は、運用モードがスプリット運用モードに設定され、且つ、センターモードが選択されている場合の二次元表示装置２の表示面２２Ａの一例を示す。タッチパネル液晶表示装置２の表示面２２Ａの上部には、受信周波数及び送信周波数を示すインジケーター２５Ａ及び２５Ｂと数値２６Ａ及び２６Ｂが横方向に並べて表示されている。また、タッチパネル液晶表示装置２の表示面２２Ａの下部には、受信状況表示画像としてスペクトラムスコープ画像２７が表示されている。現在選択されている受信周波数は、スペクトラムスコープ画像２７の中央に位置している。以下、スペクトラムスコープ表示を例にして説明する。
【００２０】
運用周波数指示部３５は、運用モード切り替え部３３による運用モードの切り替えに従って、運用周波数設定部３６により設定される送信周波数及び受信周波数を指示する。運用モードが通常運用モードからスプリット運用モードに切り替えられた場合、運用周波数指示部３５は、受信周波数は通常運用モードのときのまま変更せず、送信周波数の初期値として受信周波数＋５ｋＨｚ又は−５ｋＨｚに変更するように、運用周波数設定部３６に対して指示する。この受信周波数と送信周波数の差の初期値＋５ｋＨｚ又は−５ｋＨｚ（ステップアップ／ダウン値）は、あらかじめ記憶部３７に設定されているものとする。
【００２１】
ところで、スプリット運用モードにおいて、交信相手のＤＸ局が受信周波数を送信周波数＋５ｋＨｚ又は−５ｋＨｚに設定しているとは限らないので、その場合は送信周波数を変更する必要がある。また、ユーザがＤＸ局に対して送信しようとする際、その送信周波数で第三者が送信を行っているか否かを確認するために、送信周波数の信号強度をモニタしたい場合が生じる。本実施形態に係る無線通信装置１は、従来のセンターモードではスペクトラム表示されない周波数帯域についてスペクトラムスコープ表示を可能にしたり、現在二次元表示装置２の表示面２２Ａに表示されている周波数帯域についてスペクトラムスコープ画像を拡大表示したりすることができる。
【００２２】
第１実施形態に係る無線通信装置におけるスペクトラムスコープの表示機能又は表示方法について、以下に具体的に説明する。図３は、現在二次元表示装置２の表示面２２Ａに表示されているスペクトラムスコープ画像２７の部分のみを抜き出したものである。図３に示すように、スペクトラムスコープの中央を基準として、周波数の低い側に、例えば５つの領域２７０〜２７４が設定され、周波数の高い側にも、例えば５つの領域２７５〜２７９が設定されている。この例では、スペクトラムスコープの表示可能領域として、受信周波数に対して±２５ｋＨｚが選択されており、１つの領域がそれぞれ、例えば５ｋＨｚ刻みで設定されている。この状態で、表示面２２Ａの右下にあるシフトボタン２９Ａ，２９Ｂのいずれかが操作されたとする。左側のシフトボタン２９Ａが１回操作されるたびに、表示画像切り替え部３４は、スペクトラムスコープ画像２７を左側に５ｋＨｚ分ずつシフトさせる。同様に、右側のシフトボタン２９Ｂが１回操作されるたびに、表示画像切り替え部３４は、スペクトラムスコープ画像２７を右側に５ｋＨｚ分ずつシフトさせる。図４は、例えば左側のシフトボタン２９Ａが３回操作されたときのスペクトラムスコープ画像２７を示す。表示画像切り替え部３４は、スペクトラムスコープ画像２７の横軸の表示スパンを維持したまま、現在の受信周波数の信号強度がスペクトラムスコープ表示領域の中央よりも１５ｋＨｚ分だけ左側に表示されるようにスペクトラムスコープ画像２７を変更する。それによって、スペクトラムスコープ表示される周波数帯域は、現在の受信周波数に対して−１０ｋＨｚから＋４０ｋＨＺにシフトされる。同様に、右側のシフトボタン２９Ｂが操作されたときは、表示画像切り替え部３４は、現在の受信周波数の信号強度がスペクトラムスコープ表示領域の中央よりも右側に表示されるように、操作回数に５ｋＨｚを乗算した分だけ、スペクトラムスコープ画像２７を右側にシフトさせる。このように、現在の受信周波数の信号強度を表示しつつ、スペクトラムスコープ画像２７を左右方向にシフトさせることにより、従来のセンターモードではスペクトラム表示されない周波数帯域（図４に示す具体例では、＋２５ｋＨＺ〜＋４０ｋＨＺ）についてスペクトラムスコープ表示が可能になる。
【００２３】
また、図５に示すように、現在の受信周波数の信号強度がスペクトラムスコープ表示領域の左端近傍（又は右端近傍）に表示された状態では、スペクトラムスコープ画像２７の横軸の表示スパンを維持したまま、これ以上の周波数帯域についてスペクトラムスコープ表示をすることができない。そこで、例えばスペクトラムスコープ画像２７の横軸のスパンを縮小するための、シフトボタン２９Ａ，２９Ｂとは異なるいずれかの操作ボタン２８が操作されると（第２所定の操作）、図６に示すように、スペクトラムスコープ画像２７の横軸の表示スパンを縮小して、スペクトラムスコープ表示される周波数帯域を拡大するようにしてもよい。このようにすれば、現在の受信周波数をスペクトラムスコープ画像２７に表示したまま、ユーザが所望する周波数帯域について、信号強度をモニタすることができる。
【００２４】
（第２実施形態）
図７は、第２本実施形態に係る無線通信装置１のブロック構成を示す。上記第１実施形態では、二次元表示装置２として通常の液晶表示装置を用い、操作部３０として、無線通信装置１の筐体の前面に配置された操作ボタン２８やシフトボタン２９Ａ，２９Ｂを用いたが、第２実施形態では、表示部及び操作部として、液晶パネルの表示面上に重なるように透明なタッチパネル（接触入力装置）が設けられた液晶表示装置（以下、「タッチパネル液晶表示装置」とする）２’を用いている。タッチパネルを操作部２１、その表面を操作面２１Ａ、液晶パネルを表示部２２、その表面を表示面２２Ａとする。タッチパネルとしては、抵抗膜方式や静電容量方式など、様々な構造を採ることができ、特に限定されるものではなく、タッチパネル液晶表示装置２’の操作面２１Ａ上に接触されたユーザの指の横方向における接触位置及び縦方向における接触位置などが特定できればよい。
【００２５】
また、第１実施形態では、ユーザによる物理的なボタン操作によって、スペクトラムスコープ画像２７のシフト方向及びシフト量を選択するようにしたが、第２実施形態では、ユーザがタッチパネル液晶表示装置２’の操作面２１Ａに触れることによって、スペクトラムスコープ画像２７を左右方向にシフトするようにしたものである。図８に示すように、第１実施形態と同様に、タッチパネル液晶表示装置２’の操作面２１Ａのスペクトラムスコープ画像２７に対向する領域について、スペクトラムスコープの中央を基準として、周波数の低い側に５つの領域２７０〜２７４が設定され、周波数の高い側にも５つの領域２７５〜２７９が設定されているものとする。第２実施形態では、スペクトラムスコープの中央を基準として、周波数の低い側及び高い側に配列された１０個の領域２７０〜２７９をそれぞれシフト量選択ボタンとして使用する。
【００２６】
例えば、図８に示すように、ユーザの指による接触操作が、タッチパネル液晶表示装置２’の操作面２１Ａのスペクトラムスコープ画像２７に対向する領域のうちいずれかの領域２７０〜２７９（例えば領域２７７）でなされたとする。操作検出部３１によって接触操作（所定の操作）がなされたことが検出すると、操作判定部３２は接触操作が行われた領域を判定する。そして、接触操作が行われた領域が現在の受信周波数よりも高い周波数に対するものであるときは、表示画像切り替え部３４は、第１実施形態における図４と同様に、現在の受信周波数の信号強度がスペクトラムスコープ表示領域の中央よりも左側に表示されるようにスペクトラムスコープ画像２７を変更する。また、接触操作が行われる前のタッチパネル液晶表示装置２’の表示面２２Ａに表示されているスペクトラムスコープ画像２７の横軸の表示スパンを維持したまま、現在の受信周波数と接触操作が行われた領域２７７の領域端周波数との差（＋１５ｋＨｚ）分だけ、スペクトラムスコープ画像２７を左側にシフトさせる。それによって、スペクトラムスコープ表示される周波数帯域は、現在の受信周波数に対して−１０ｋＨｚから＋４０ｋＨＺにシフトされる。同様に、接触操作が行われた領域が現在の受信周波数よりも低い周波数に対するものであるときは、表示画像切り替え部３４は、現在の受信周波数の信号強度がスペクトラムスコープ表示領域の中央よりも右側に表示されるように、現在の受信周波数と接触操作が行われた領域の領域端周波数との差分だけ、スペクトラムスコープ画像２７を右側にシフトさせる。あるいは、接触操作が行われた領域と同じ方向に、スペクトラムスコープ画像２７をシフトさせてもよい。このように、現在の受信周波数の信号強度を表示しつつ、スペクトラムスコープ画像２７を左右方向にシフトさせることにより、従来のセンターモードではスペクトラム表示されない周波数帯域（図４に示す具体例では、＋２５ｋＨＺ〜＋４０ｋＨＺ）についてスペクトラムスコープ表示が可能になる。なお、現在の受信周波数の信号強度がスペクトラムスコープ表示領域の左端近傍（又は右端近傍）に表示された状態で、スペクトラムスコープ表示されていない周波数帯域についてモニタしたい場合は、再度タッチパネル液晶表示装置２’の操作面２１Ａに指を接触させるなどの操作（第２所定の操作）を行い、スペクトラムスコープ画像２７の横軸の表示スパンを縮小して、スペクトラムスコープ表示される周波数帯域を拡大すればよい。
【００２７】
（第３実施形態）
第３実施形態では、第２実施形態の場合と同様に、表示部及び操作部としてタッチパネル液晶表示装置２’を用いている。また、第２実施形態では、ユーザの指の接触操作によって、スペクトラムスコープ画像２７のシフト方向及びシフト量を選択するようにしたが、第３実施形態では、ユーザがモニタしたい周波数付近に直接指を接触されることによって、スペクトラムスコープ画像２７を左右方向にシフト及び拡大するようにしたものである。上記と同様に、図８に示すように、ユーザの指による接触操作が、タッチパネル液晶表示装置２の操作面２１Ａのスペクトラムスコープ画像２７に対向する領域のうちいずれかの領域２７０〜２７９（例えば領域２７７）でなされたとする。表示画像切り替え部３４は、図９に示すように、現在の受信周波数の信号強度をスペクトラムスコープ表示領域の左端近傍に表示すると共に、接触操作が行われた領域２７７の領域端周波数の信号強度をスペクトラムスコープ表示領域の右端近傍に表示し、それに合わせて、スペクトラムスコープ画像２７の横軸の表示スパンを拡大する。それによって、スペクトラムスコープ表示される周波数帯域は、現在の受信周波数に対して＋１５ｋＨＺに縮小され、より細かい周波数ピッチで信号強度をモニタすることができる。なお、スペクトラムスコープ表示されていない周波数帯域についてモニタしたい場合は、上記と同様に、再度接触操作（第２所定の操作）を行い、スペクトラムスコープ画像２７の横軸の表示スパンを縮小して、スペクトラムスコープ表示される周波数帯域を拡大すればよい。
【００２８】
なお、上記第１実施形態では、操作部３０として物理的な操作ボタン２８やシフトボタン２９Ａ，２９Ｂを用い、第２実施形態では、操作部２１としてタッチパネル液晶表示装置２を用いたが、ユーザによって操作される操作部は物理的な操作ボタンやタッチパネルに限定されるものではなく、二次元表示装置の表示面上に階層的に表示されるメニュー画面及びメニュー画面上のアイコンを選択するためのマウスやカーソル移動キー、無線通信装置１の筐体に配置されたダイヤルなどの組合せであってもよい。その場合、ユーザによる所定の操作によってスペクトラムスコープ画像をシフトする方向及びシフト量、ユーザがモニタしたい周波数などが特定できればよい。例えば、いずれかの操作ボタン２８を一定時間以上押し続ける（長押しする）と、スペクトラムスコープ画像２７が、階層的に表示されるメニュー画面に切り替わり、そこでマウス、物理的な操作ボタン、ダイヤルなどによる所定の操作より、シフト方向及びシフト量を直接選択してもよい。図１０は、階層的なメニュー画面３５でシフト量選択モードを呼び出し、シフト量として＋２を選択している状態を示している。この場合、受信周波数の表示位置は、スペクトラムスコープ表示領域の中央よりも２領域（１０ｋＨｚ）分だけ左側に表示されるようにスペクトラムスコープ画像２７が変更（シフト）される。再度、いずれかの操作ボタン２８を上記よりも短い時間押す（短押しする）ことにより、下のスペクトラムスコープ画像２７に戻る。また、運用モードが通常運用モードからスプリット運用モードに切り替えられた際に、それに連動して、スプリット運用モードにおける送信周波数の初期値として、記憶部３７に設定されている周波数がスペクトラムスコープ画像２７に表示されるように、自動的にスペクトラムスコープ画像２７のシフト方向及びシフト量を調整するようにしてもよい。このように、受信周波数から離れた周波数帯域について、簡単な操作でペクトラムスコープ表示としてモニタすることを可能とすると共に、二次元表示装置の表示面を無駄なく有効に活用することができる。
【符号の説明】
【００２９】
１  無線通信装置
２  二次元表示装置
２’  タッチパネル液晶表示装置
２１  操作部
２１Ａ  操作面
２２  表示部
２２Ａ  表示面
２７  スペクトラムスコープ画像（受信状況表示画像）
２８  操作ボタン
２９Ａ，２９Ｂ  シフトボタン
３０  操作部
３１  操作検出部
３２  操作判定部
３３  運用モード切り替え部
３４  表示画像切り替え部
３５  メニュー画面
【図１】
0006507637.tif 000002
【図２】
0006507637.tif 000003
【図３】
0006507637.tif 000004
【図４】
0006507637.tif 000005
【図５】
0006507637.tif 000006
【図６】
0006507637.tif 000007
【図７】
0006507637.tif 000008
【図８】
0006507637.tif 000009
【図９】
0006507637.tif 000010
【図１０】
0006507637.tif 000011